(57)【要約】【課題】シートの意匠面を構成する表皮ピースの縫い代部に付属部材を性能よく取付けることにある。【解決手段】第一表皮ピースＳＰ１の第一縫い代２１と第二表皮ピースＳＰ２の第二縫い代２２とを位置合わせして縫合したのち、縫い代部３１をなす第一縫い代２１と第二縫い代２２の少なくとも一方に付属部材４０Ａを取付ける。【選択図】図６
2018175533.tif 000002
【特許請求の範囲】
【請求項１】
乗物用シートの意匠面を構成可能な第一表皮ピース及び第二表皮ピースと、前記第一表皮ピースと前記第二表皮ピースの縫い代同士を縫合して形成されている縫い代部と、前記縫い代部に取付けられている付属部材とを備えたシートカバーの製造方法において、
前記第一表皮ピースの第一縫い代と前記第二表皮ピースの第二縫い代とを位置合わせして縫合したのち、前記縫い代部をなす前記第一縫い代と前記第二縫い代の少なくとも一方に前記付属部材を取付けるシートカバーの製造方法。
【請求項２】
前記縫い代部を基点に前記第一表皮ピースと前記第二表皮ピースを面状に展開して、前記シートカバーの裏面から突出している前記縫い代部を、前記付属部材を介して前記シートカバーの裏側に配置する他部材に取付ける構成とし、
前記第一縫い代と前記第二縫い代をステッチ部で縫合したのち、前記付属部材を、前記ステッチ部よりも前記縫い代部の末端に近い位置に取付ける請求項１のシートカバーの製造方法。
【請求項３】
前記付属部材を、前記縫い代部に縫糸で縫い付けて取付ける請求項１又は２のシートカバーの製造方法。
【請求項４】
前記乗物用シートが、乗員を弾性的に支持可能なシートパッドと、前記シートパッドの溝部と、前記溝部内に配置されている前記他部材としての係止部材とを有し、
前記付属部材が、前記縫い代部に取付け可能な面状の取付け部と、前記取付け部の自由端に固定され且つ前記係止部材に係止可能な樹脂製の係止部とを有し、
前記第一縫い代と前記第二縫い代の少なくとも一方に前記取付け部を取付けて、前記取付け部を、前記取付け部の取付け箇所から前記縫い代部の末端側に延長することにより、前記係止部が、前記係止部材に係止可能な位置に配置される請求項１〜３のいずれか一項に記載のシートカバーの製造方法。
【請求項５】
乗物用シートの意匠面を構成可能な第一表皮ピース及び第二表皮ピースと、前記第一表皮ピースと前記第二表皮ピースの縫い代同士を縫合して形成されている縫い代部と、前記縫い代部に取付けられている付属部材とを備えたシートカバーにおいて、
前記縫い代部を基点に前記第一表皮ピースと前記第二表皮ピースが面状に展開された状態で、前記シートカバーの裏面から突出している前記縫い代部が、前記付属部材を介して前記シートカバーの裏側に配置する他部材に取付けられており、
前記第一表皮ピースの第一縫い代と前記第二表皮ピースの第二縫い代とで構成されている前記縫い代部が、前記第一縫い代と前記第二縫い代を縫合しているステッチ部と、前記第一縫い代と前記第二縫い代の少なくとも一方に取付けられている前記付属部材とを有し、前記付属部材が、前記ステッチ部よりも前記縫い代部の末端に近い位置に取付けられているシートカバー。
【発明の詳細な説明】
【技術分野】
【０００１】
本発明は、乗物用シートの意匠面を構成する一対の表皮ピースと、一対の表皮ピースの縫い代部に取付けられる付属部材とを備えたシートカバー及びその製造方法に関する。
【背景技術】
【０００２】
この種のシートカバーは、乗物用シートの意匠面となる面材であり、複数の表皮ピースを縫合することで形成されている。そしてシートカバーは、例えば乗員を弾性的に支持するシートパッドに被覆されるのであるが、このときシートカバーの一部を、シートの意匠性などを考慮してシートパッドの溝部内に引込むことがある。例えば特許文献１では、シートカバーに相当するトリムカバーが、表皮ピースに相当する座面表皮及び土手面表皮と、付属部材に相当する吊込みコードを有している。吊込みコードは、溝部の延長方向に長尺な帯状の部材であり、帯布と、玉縁条を有している。帯布は、溝部に沿って延びる帯状の部位であり、座面表皮と土手面表皮の縫い代同士を縫合して構成されている縫い代部に取付けられている。また玉縁条は、帯布の先端に一体化されている樹脂製の部位であり、断面視において略三角形状をなしている。そしてシートパッドにシートカバーを被覆する際に、吊込みコードを、縫い代部とともにシートパッドの溝部内に引込みつつ、溝部内に配置されているクリップに係止しておく。
【０００３】
そして上述の吊込みコードは、シートカバーに相当するトリムカバーにミシンで縫い付けておくことができる。例えば土手面表皮の縫い代に吊込みコードの帯布を重ねたのち、これらを仮縫いして取付けておく。つぎに座面表皮と土手面表皮を中表状に重ねたのち、これらの縫い代同士を、帯布とともにステッチ部で本縫いして縫合する。そしてステッチ部を基点に、座面表皮と土手面表皮を面状に展開し、シートカバーの裏側に縫い代部を突出させる。そして縫い代部のステッチ部に共縫いされている吊込みコードを、ステッチ部を基点に、溝部内のクリップに向けて折り返しておく。
【先行技術文献】
【特許文献】
【０００４】
【特許文献１】特開２００６−９５０９３号公報
【発明の概要】
【発明が解決しようとする課題】
【０００５】
ところで一般的なシートカバーの縫合作業では、シートカバーの形状に応じて、一対の表皮ピースの各縫い代を湾曲させたり寄せ縮めたりしながら位置決めして縫合することがある。例えば公知技術の構成では、表皮ピースに相当する座面表皮と土手面表皮を本縫いする際に、これら表皮の各縫い代を湾曲等させながら位置決めする。このとき公知技術の構成では、土手面表皮に取付けられている吊込みコードが邪魔となるなどして、座面表皮と土手面表皮をスムーズに位置決めできないことがあった。また吊り込みコードは、シートの意匠面に近いステッチ部を基点に折り返されているため、クリップに到達させるために長寸化される傾向にあり、シートカバーの製造コスト増大の一因となっていた。本発明は上述の点に鑑みて創案されたものであり、本発明が解決しようとする課題は、シートの意匠面を構成する表皮ピースの縫い代部に付属部材を性能よく取付けることにある。
【課題を解決するための手段】
【０００６】
上記課題を解決するための手段として、第１発明のシートカバーの製造方法では、シートカバーが、乗物用シートの意匠面を構成可能な第一表皮ピース及び第二表皮ピースと、第一表皮ピースと第二表皮ピースの縫い代同士を縫合して形成されている縫い代部と、縫い代部に取付けられている付属部材とを備えている。この種の構成においては、シートの意匠面を構成する表皮ピースの縫い代部に付属部材を性能よく（例えば作業性良く）取付けられることが望ましい。そこで本発明では、第一表皮ピースの第一縫い代と第二表皮ピースの第二縫い代とを位置合わせして縫合したのち、縫い代部をなす第一縫い代と第二縫い代の少なくとも一方に付属部材を取付けることとした。本発明では、縫い代部に付属部材を取付ける作業に先立って、第一表皮ピースの第一縫い代と第二表皮ピースの第二縫い代とを位置合わせした状態で縫合する。このため第一表皮ピースと第二表皮ピースの縫い代同士を、付属部材に邪魔されることなく位置決めして縫合することができる。
【０００７】
第２発明のシートカバーの製造方法は、第１発明のシートカバーの製造方法において、シートカバーが、縫い代部を基点に第一表皮ピースと第二表皮ピースを面状に展開して、シートカバーの裏面から突出している縫い代部を、付属部材を介してシートカバーの裏側に配置する他部材に取付ける構成とされている。そして第一縫い代と第二縫い代をステッチ部で縫合したのち、付属部材を、ステッチ部よりも縫い代部の末端に近い位置に取付けることとしている。本発明では、付属部材が相対的に短寸であっても、この付属部材を、ステッチ部よりも縫い代部の末端側に取付けることにより、他部材に到達させることができる。そして付属部材を短寸化することにより、シートカバーの製造コストの低減に資する構成となる。
【０００８】
第３発明のシートカバーの製造方法は、第１発明又は第２発明のシートカバーの製造方法において、付属部材を、縫い代部に縫糸で縫い付けて取付ける。本発明では、付属部材を、縫糸という比較的シンプルな構成で縫い代部に取付けることができ、さらに製造工程の効率化を図ることができる。
【０００９】
第４発明のシートカバーの製造方法は、第１発明〜第３発明のいずれかのシートカバーの製造方法において、乗物用シートが、乗員を弾性的に支持可能なシートパッドと、シートパッドの溝部と、溝部内に配置されている他部材としての係止部材とを有し、付属部材が、縫い代部に取付け可能な面状の取付け部と、取付け部の自由端に固定され且つ係止部材に係止可能な樹脂製の係止部とを有している。そして第一縫い代と第二縫い代の少なくとも一方に取付け部を取付けて、取付け部を、取付け部の取付け箇所から縫い代部の末端側に延長することにより、係止部が、係止部材に係止可能な位置に配置される。本発明では、第一表皮ピースと第二表皮ピースの縫い代同士を、樹脂製の係止部によって邪魔されることなく位置決めして縫合しておくことができる。そして剛性に優れている樹脂製の係止部を、シートパッド側の係止部材に安定的に係止可能な構成とすることができる。
【００１０】
第５発明のシートカバーは、乗物用シートの意匠面を構成可能な第一表皮ピース及び第二表皮ピースと、第一表皮ピースと第二表皮ピースの縫い代同士を縫合して形成されている縫い代部と、縫い代部に取付けられている付属部材とを備えている。そして縫い代部を基点に第一表皮ピースと第二表皮ピースが面状に展開された状態で、シートカバーの裏面から突出している縫い代部が、付属部材を介してシートカバーの裏側に配置する他部材に取付けられている。この種の構成においては、シートの意匠面を構成する表皮ピースの縫い代部に付属部材を性能よく（例えば製造コストの低減に資するように）取付けられることが望ましい。
【００１１】
そこで本発明では、第一表皮ピースの第一縫い代と第二表皮ピースの第二縫い代とで構成されている縫い代部が、第一縫い代と第二縫い代を縫合しているステッチ部と、第一縫い代と第二縫い代の少なくとも一方に取付けられている付属部材とを有し、付属部材が、ステッチ部よりも縫い代部の末端に近い位置に取付けられている。本発明では、付属部材が相対的に短寸であっても、この付属部材を、ステッチ部よりも縫い代部の末端に取付けることにより、他部材に到達させることができる。そして付属部材を短寸化しておくことにより、シートカバーの製造コストの低減に資する構成となる。
【発明の効果】
【００１２】
本発明に係る第１発明によれば、シートの意匠面を構成する表皮ピースの縫い代部に付属部材を性能よく取付けることができる。また第２発明によれば、シートの意匠面を構成する表皮ピースの縫い代部に付属部材をより性能よく取付けることができる。また第３発明によれば、比較的シンプルな構成によって、シートの意匠面を構成する表皮ピースの縫い代部に付属部材を性能よく取付けることができる。また第４発明によれば、シートの意匠面を構成する表皮ピースの縫い代部に付属部材を更に性能よく取付けることができる。そして第５発明によれば、シートの意匠面を構成する表皮ピースの縫い代部に付属部材を性能よく取付けておくことができる。
【図面の簡単な説明】
【００１３】
【図１】乗物用シートの斜視図である。
【図２】シートパッドからシートカバーを離間させたシートバックの断面図である。
【図３】図１のＩＩＩ−ＩＩＩ線断面に相当するシートバックの概略断面図である。
【図４】シートカバー一部の断面図である。
【図５】縫合作業時の各表皮ピースの斜視図である。
【図６】付属部材を取付ける際の各表皮ピースの斜視図である。
【発明を実施するための形態】
【００１４】
以下、本発明を実施するための形態を、図１〜図６を参照して説明する。各図には、便宜上、乗物用シートの前後方向と左右方向と上下方向を示す矢線を適宜図示することがある。なお図３では、便宜上、シートカバーとシートパッドを若干離して図示しているが、実際にはこれらは接触した状態とされている。図１の乗物用シート２は、シートクッション４と、シートバック６を有する。これらシート構成部材（４，６）は、各々、シート骨格をなすシートフレーム（４Ｆ，６Ｆ）と、シート外形をなすシートパッド（４Ｐ，６Ｐ）と、シートパッドを被覆するシートカバー（４Ｓ，６Ｓ）を有する。そしてシートクッション４の後部にシートバック６（詳細後述）の下部が起倒可能に連結されている。
【００１５】
［シートバック］
シートバック６は、図１及び図２を参照して、基本構成６Ｆ，６Ｐ，６Ｓと、シートパッド６Ｐの一対の溝部１０，１２と、シートカバー６Ｓの一対の付属部材４０Ａ，４０Ｂを有している（各部材等の詳細は適宜後述）。そしてシートパッド６Ｐ（詳細後述）は、シートフレーム６Ｆ上に配置されてシートカバー６Ｓで被覆されている。ここでシートフレーム６Ｆ（図示省略）は、典型的にアーチ状の枠体であり、金属や硬質樹脂などの剛性に優れる素材にて形成できる。またシートカバー６Ｓ（詳細後述）は、シートパッド６Ｐを被覆してシートバック６の意匠面を構成する面材である。そして本実施例では、シートの意匠性向上の観点などから、図２に示すシートカバー６Ｓの一部である縫い代部３１，３２が、シートパッド６Ｐの溝部１０，１２内に引き込まれて係止される。これら縫い代部３１，３２には、溝部１０，１２内に係止可能な後述の付属部材４０Ａ，４０Ｂが取付けられるのであるが、この種の構成では、縫い代部３１，３２に付属部材４０Ａ，４０Ｂを性能よく（例えば作業性良く）取付けられることが望ましい。そこで本実施例では、後述する構成によって、シートの意匠面を構成する表皮ピースの縫い代部３１，３２に付属部材４０Ａ，４０Ｂを性能よく取付けることとした。以下、各構成について詳述する。
【００１６】
［シートパッド］
シートパッド６Ｐは、図２を参照して、乗員を弾性的に支持可能な正面視で略矩形状の部材であり、後述する一対の溝部１０，１２と係止部材１４を有している。ここでシートパッド６Ｐの材質は特に限定しないが、例えばポリウレタンフォーム（密度：１０ｋｇ／ｍ3〜６０ｋｇ／ｍ3）等の発泡樹脂を例示できる。そしてシートパッド６Ｐの着座面となる意匠面は、図２を参照して、天板メイン部６ａと、左右一対の天板サイド部６ｂとに区分けできる。天板メイン部６ａは、シート幅方向である左右方向の中央に形成されている略平坦な部位であり、乗員の着座が可能な幅寸法を有して上下方向に延びている。また各天板サイド部６ｂは、天板メイン部６ａの左方と右方において相対的に前側に突出している部位であり、コーナリング走行時等に乗員の側方を支持することができる。
【００１７】
［溝部・係止部材］
一対の溝部（右側溝部１０，左側溝部１２）は、図２を参照して、それぞれシートパッド６Ｐの意匠面に設けられた線状の凹部位である。右側溝部１０は、天板メイン部６ａと右側の天板サイド部６ｂの間で上下に延びている溝部であり、上方に向かうにつれて次第に右側に向けて湾曲している。また左側溝部１２は、天板メイン部６ａと左側の天板サイド部６ｂの間で上下に延びている溝部であり、上方に向かうにつれて次第に左側に向けて湾曲している。そして各溝部１０，１２の底面にはそれぞれ略同一構成の係止部材１４が配設されている。各係止部材１４は、後述する付属部材４０Ａ，４０Ｂが係止される部材であり、本発明のシートカバーの裏側に配置する他部材に相当する。そして各係止部材１４は、図３を参照して、基部１４ａと、この基部１４ａに一体化されている係止爪部１４ｂとを有している。基部１４ａは、対応する溝部の底面に埋設されている平板状の部位である。また係止爪部１４ｂは、対応する溝部内に露出している断面Ｙ字状の部位であり、後述する付属部材４０Ａ等の係止部４４を係止可能である。
【００１８】
［シートカバー］
シートカバー６Ｓは、図１及び図２を参照して、複数の表皮ピース（第一表皮ピースＳＰ１，右側第二表皮ピースＳＰ２，左側第二表皮ピースＳＰ３等）と、一対の縫い代部３１，３２と、一対の付属部材４０Ａ，４０Ｂを有している（図１では、便宜上、特定の表皮ピースにのみ特定の符号を付し、その他の表皮ピースには符号ＳＰを付す）。そして第一表皮ピースＳＰ１は、図１を参照して、天板メイン部６ａを覆う略矩形の表皮ピースであり、上側が末広がり状に幅広とされている。また右側第二表皮ピースＳＰ２は、右側の天板サイド部６ｂを覆う略矩形の表皮ピースであり、右側第二表皮ピースＳＰ２の左縁は、上方に向かうにつれて次第に右側に湾曲している。また左側第二表皮ピースＳＰ３は、左側の天板サイド部６ｂを覆う略矩形の表皮ピースであり、左側第二表皮ピースＳＰ３の右縁は、上方に向かうにつれて次第に左側に湾曲している。これら各表皮ピースＳＰ１〜ＳＰ３等の材質として、例えば布帛（織物，編物，不織布）や皮革（天然皮革，合成皮革）を用いることができる。また各表皮ピースＳＰ１〜ＳＰ３等の裏側には、ウレタンラミなどのパッド材や不織布などの裏基布を取付けることができる。
【００１９】
［縫い代部］
一対の縫い代部（右側縫い代部３１，左側縫い代部３２）は、図２を参照して、それぞれ隣り合う表皮ピース（ＳＰ１とＳＰ２，ＳＰ１とＳＰ３）同士が縫合されている箇所である。すなわち右側縫い代部３１は、図３及び図４を参照して、第一表皮ピースＳＰ１の右縁である第一縫い代２１と、右側第二表皮ピースＳＰ２の左縁である第二縫い代２２とが中表状に重ねられて縫合されている箇所である。この右側縫い代部３１では、第一縫い代２１と第二縫い代２２が、上下に延びている第一ステッチ部ＳＴ１（線状の縫目）で縫合されている。そして右側縫い代部３１は、図１に示す第一表皮ピースＳＰ１と右側第二表皮ピースＳＰ２の継目に沿って、上方に向かうにつれて次第に右側に湾曲している。また左側縫い代部３２は、図２を参照して、第一表皮ピースＳＰ１の左縁である他の第一縫い代２１ｘと、左側第二表皮ピースＳＰ３の右縁である他の第二縫い代２２ｘとが中表状に重ねられて縫合されている箇所である。この左側縫い代部３２においても、対応する第一縫い代２１ｘと第二縫い代２２ｘが、上下に延びている他の第一ステッチ部ＳＴ１ｘで縫合されている。そして左側縫い代部３２は、図１に示す第一表皮ピースＳＰ１と左側第二表皮ピースＳＰ３の継目に沿って、上方に向かうにつれて次第に左側に湾曲している。
【００２０】
［付属部材］
一対の付属部材４０Ａ，４０Ｂは、図２を参照して、対応する縫い代部３１，３２を、シートパッド６Ｐの対応する溝部１０，１２（図示省略）に引込み状に係止するための部材である。これら一対の付属部材４０Ａ，４０Ｂは、略同一の基本構成を有しているため、以下に、右側に配置される付属部材４０Ａを一例にその詳細を説明する。この右側の付属部材４０Ａは、右側縫い代部３１に取付けられている部材であり、図４を参照して、取付け部４２と、係止部４４を有している。取付け部４２は、右側縫い代部３１に縫合可能な帯状部位であり、図１に示すように右側縫い代部３１に倣って上下に長尺とされている。そして取付け部４２は、図４を参照して、後述する第二ステッチ部ＳＴ２で右側縫い代部３１に取付けられているとともに、この第二ステッチ部ＳＴ２を基点に折り返されている。そして折り返されている取付け部４２の自由端４３側は、右側縫い代部３１に沿って延長しつつその末端（Ｅ１）から後方に突出している。なお取付け部４２の素材は特に限定しないが、シートカバー６Ｓで例示の素材を用いることができ、引込み時にかかる引張力を受止め可能な強度を備えた素材（例えば不織布）を用いることが望ましい。
【００２１】
そして係止部４４は、図４を参照して、取付け部４２の自由端４３に沿って一体化されて取付けられている部位である。この係止部４４は、係止部材１４の係止爪部１４ｂに係止可能な樹脂製の部位であり、断面視で概ね三角形状をなして頂点側が先端側に配置されている。この係止部４４は、取付け部４２に比して硬く剛性に優れる部位であり、相対的に曲がり変形しにくい部位である。また係止部４４に用いられる樹脂の種類も特に限定しないが、右側縫い代部３１の湾曲部分への追従性を考慮して、ポリエチレンやポリプロピレンなどの適度な可撓性を備えた樹脂（エラストマを含む）を用いることが望ましい。
【００２２】
［シートカバーの形成手法］
図１及び図２に示す複数の表皮ピースＳＰ１〜ＳＰ３等をミシン（図示省略）で縫合してシートカバー６Ｓを形成するとともに、各縫い代部３１，３２に、対応する付属部材４０Ａ，４０Ｂを取付ける。そしてミシンによる縫合作業では、複数の表皮ピースＳＰ１〜ＳＰ３等の各縫い代を湾曲させたり寄せ縮めたりしながら位置決めするのであるが、このとき付属部材４０Ａ，４０Ｂが邪魔となるなどして作業性が悪化することが懸念される。そこで本実施例では、第一表皮ピースＳＰ１の第一縫い代２１（２１ｘ）と、対応する第二表皮ピースＳＰ２（ＳＰ３）の第二縫い代２２（２２ｘ）とを位置合わせした状態で縫合したのち、対応する縫い代部３１（３２）をなす第一縫い代２１（２１ｘ）と第二縫い代２２（２２ｘ）の少なくとも一方に付属部材４０Ａ（４０Ｂ）を取付けることとした。ここで本実施例では、複数の表皮ピースＳＰ１〜ＳＰ３等の縫合手法等が略同一であるため、以下に、専ら第一表皮ピースＳＰ１と右側第二表皮ピースＳＰ２を一例にこれらの縫合手法等を説明する。
【００２３】
［表皮ピースの縫合作業］
すなわち図５を参照して、第一表皮ピースＳＰ１と右側第二表皮ピースＳＰ２を中表状に重ねて、第一縫い代２１と第二縫い代２２を位置合わせしながら第一ステッチ部ＳＴ１で縫合していく。この位置合わせ作業では、第一縫い代２１の末端Ｅ１に設けた第一位置決め部２１ａに、第二縫い代２２の末端Ｅ２に設けた対応する第二位置決め部２２ａを一致させていく。なお第一位置決め部２１ａは、第一縫い代２１の末端Ｅ１を三角状に切り欠くことで形成でき、第一縫い代２１の延びている方向に適宜の間隔で配置できる。また第二位置決め部２２ａも、第二縫い代２２の末端Ｅ２を三角状に切り欠くことで形成でき、第一位置決め部２１ａに対応するように第二縫い代２２の延びている方向に適宜の間隔で配置できる。そして本実施例の縫合作業時においては、第一表皮ピースＳＰ１と右側第二表皮ピースＳＰ２に付属部材４０Ａが取付けられていない。このため第一縫い代２１と第二縫い代２２を、付属部材４０Ａに邪魔されることなく適宜湾曲などさせて、第一位置決め部２１ａと第二位置決め部２２ａとを一致させていくことができる。特に本実施例では、付属部材４０Ａの相対的に硬く曲がりにくい樹脂製の係止部４４によって、第一縫い代２１と第二縫い代２２の位置決め作業が邪魔される事態を好適に回避できる。
【００２４】
［付属部材の取付け作業］
つぎに図６を参照して、縫合作業後の第一表皮ピースＳＰ１の第一縫い代２１に付属部材４０Ａを取付ける。このとき第一縫い代２１の裏面に付属部材４０Ａを重ねながら、取付け部４２の自由端とは反対の末端Ｅ３を、第一縫い代２１の末端Ｅ１に位置合わせしておく。この位置合わせ作業では、第一縫い代２１の末端Ｅ１に設けた第一位置決め部２１ａに、取付け部４２の末端Ｅ３に設けた対応する第三位置決め部４２ａを一致させていく。この第三位置決め部４２ａは、取付け部４２の末端Ｅ３を三角状に切り欠くことで形成でき、第一位置決め部２１ａに対応するように取付け部４２の末端Ｅ３の延びている方向に適宜の間隔で配置できる。そして付属部材４０Ａの取付け部４２を、縫糸Ｙ１を用いた第二ステッチ部ＳＴ２で第一縫い代２１に縫い付けて取付けることができる。この第二ステッチ部ＳＴ２は、取付け部４２を両縫い代２１，２２に縫い付けている線状の縫目であり、第一ステッチ部ＳＴ１と概ね平行に延びている。このように取付け部４２を縫糸Ｙ１で縫い付けることにより、付属部材４０Ａの取付け作業と、両表皮ピースＳＰ１，ＳＰ２の縫合作業とを一連の作業で行うことができ、シートカバー６Ｓの製造工程の効率化を図ることができる。
【００２５】
ここで付属部材４０Ａの取付け箇所となる第二ステッチ部ＳＴ２の形成箇所は、付属部材４０Ａを第一縫い代２１に安定的に取付けることができる限り特に限定しない。例えば図６を参照して、第二ステッチ部ＳＴ２の典型的な形成箇所は、第一ステッチ部ＳＴ１の形成位置から第一縫い代２１の末端Ｅ１にかけての範囲ＡＲ内に設定される。そして本実施例では、第二ステッチ部ＳＴ２の形成箇所を、第一ステッチ部ＳＴ１よりも距離Ｌ１だけ第一縫い代２１の末端Ｅ１に近い位置に設定している。そして付属部材４０Ａを、図４に示すように第二ステッチ部ＳＴ２で折り返すことにより、第一ステッチ部ＳＴ１と第二ステッチ部ＳＴ２の距離Ｌ１の分（概ね距離Ｌ１の二倍分）短寸化している。このように付属部材４０Ａを短寸化したとしても、第一ステッチ部ＳＴ１よりも縫い代部の末端Ｅ１側に取付けることにより、図３に示す係止部材１４に到達させることができる。そして付属部材４０Ａの取付け部４２を短寸化して使用すべき材料を減少させることにより、シートカバー６Ｓの製造コストの低減に資する構成となる。
【００２６】
そして図２を参照して、第一表皮ピースＳＰ１と左側第二表皮ピースＳＰ３においても、上述の手法により、第一縫い代２１ｘと第二縫い代２２ｘを位置合わせしながら第一ステッチ部ＳＴ１で縫合していく。そして縫合作業後の第一表皮ピースＳＰ１の第一縫い代２１ｘに、第二ステッチ部ＳＴ２ｘにて付属部材４０Ｂを取付けることができる。
【００２７】
[シートカバーの被覆作業]
図２を参照して、面状に展開されているシートカバー６Ｓによってシートパッド６Ｐの意匠面を被覆する。このとき各表皮ピースＳＰ１〜ＳＰ３等が、対応する縫い代部３１，３２を基点に面状に展開されるとともに、右側縫い代部３１と左側縫い代部３２がシートカバー６Ｓの裏側に突出して配置される。そしてこの状態では、図３及び図４に示すように各付属部材４０Ａ等の取付け部４２が、第二ステッチ部ＳＴ２等から後方に延長することにより、係止部４４が、係止部材１４に係止可能な位置に配置される。そこで各縫い代部３１，３２を、これらに取付けられている付属部材４０Ａ，４０Ｂを介して対応する溝部１０，１２内に引き込み状に固定する。このとき図３を参照して、例えば付属部材４０Ａの剛性に優れている樹脂製の係止部４４を、右側溝部１０内の係止部材１４に係止することで、右側縫い代部３１を右側溝部１０内に安定的に係止しておくことができる。さらに被覆状態の右側縫い代部３１では、図３及び図４に示すように、第一ステッチ部ＳＴ１と、この第一ステッチ部ＳＴ１よりも末端（Ｅ１）側に配置する第二ステッチ部ＳＴ２が設けられている。そして右側縫い代部３１をなしている各縫い代２１，２２が第一ステッチ部ＳＴ１で閉じられているため、第二ステッチ部ＳＴ２（縫糸Ｙ１）が外部に露出することを極力回避することができ、シートの意匠性を向上させることができる。
【００２８】
以上説明した通り本実施例では、各縫い代部３１（３２）に付属部材４０Ａ（４０Ｂ）を取付ける作業に先立って、第一表皮ピースＳＰ１の第一縫い代２１（２１ｘ）と第二表皮ピースＳＰ２（ＳＰ３）の第二縫い代２２（２２ｘ）とを位置合わせした状態で縫合する。このため第一表皮ピースＳＰ１と右側第二表皮ピースＳＰ２（ＳＰ３）の縫い代同士を、付属部材４０Ａ，４０Ｂに邪魔されることなく位置決めして縫合することができる。また本実施例では、付属部材４０Ａ，４０Ｂが相対的に短寸であっても、この付属部材４０Ａ，４０Ｂを、第一ステッチ部ＳＴ１よりも各縫い代部３１，３２の末端側に取付けることにより、他部材としての係止部材１４に到達させることができる。そして付属部材４０Ａ，４０Ｂを短寸化することにより、シートカバー６Ｓの製造コストの低減に資する構成となる。また本実施例では、付属部材４０Ａ，４０Ｂを、縫糸Ｙ１という比較的シンプルな構成で各縫い代部３１，３２に取付けることができ、さらに製造工程の効率化を図ることができる。また本実施例では、第一表皮ピースＳＰ１と第二表皮ピースＳＰ２（ＳＰ３）の縫い代同士を、樹脂製の係止部４４によって邪魔されることなく位置決めして縫合しておくことができる。そして剛性に優れている樹脂製の係止部４４を、シートパッド側の係止部材１４に安定的に係止可能な構成とすることができる。このため本実施例によれば、シートの意匠面を構成する表皮ピースＳＰ１〜ＳＰ３の各縫い代部３１，３２に付属部材４０Ａ，４０Ｂを性能よく取付けることができる。
【００２９】
本実施形態のシートカバー及びその製造方法は、上述した実施形態に限定されるものではなく、その他各種の実施形態を取り得る。本実施形態では、付属部材４０Ａ，４０Ｂの構成（形状，寸法，取付け位置，取付け手法，用途，構成部位など）を例示したが、付属部材の構成を限定する趣旨ではない。すなわち付属部材は、係止部材に係止可能な各種の構成を取ることができ、係止部の構成も適宜変更可能である。例えば付属部材は、取付け部と、この取付け部の先端に取付けられている係止部としてのワイヤ材で構成することができる。そして付属部材のワイヤ材を、溝部内の他のワイヤ材（他部材）にホグリング止めすることができる。また付属部材は、第一ステッチ部と実質的に同位置に取付けることができる。また付属部材は、縫糸による縫い付けのほか、接着や融着、クリップやステープルなどの物理的手段で、第一縫い代と第二縫い代の少なくとも一方に取付けることができる。なお付属部材を、第一ステッチ部とは無関係の方向に延びる縫糸のステッチで対応する縫い代に取付けることができる。
【００３０】
また本実施形態では、付属部材４０Ａ，４０Ｂによって、対応する縫い代部３１，３２を所望の溝部１０，１２に引き込み状に取付ける構成を説明した。この付属部材として、例えばエアバッグ膨張時にシートカバーを破断させるための力布などの帯状部材を想定することができ、この場合の付属部材は、他部材としてのシートフレームなどに取付けることができる。また付属部材として、シートカバーの裏側に配置可能な各種の部材を想定でき、例えばシートヒータやセンサなどの各種の機能性部材（主に面材）を想定でき、この場合には機能性部材を他部材に取付けない構成としてもよい。
【００３１】
また本実施形態では、第一表皮ピースＳＰ１と第二表皮ピースＳＰ２，ＳＰ３の構成（形状，寸法，配置位置，位置決め手法、縫合手法など）を例示したが、これら表皮ピースの構成は適宜変更可能である。またシートパッド及び溝部の構成も、表皮ピースの構成に応じて適宜変更可能である。例えば第一表皮ピースと第二表皮ピースは、天板メイン部と天板サイド部のほか、シート側面となるカマチ部やシート裏面に配置されていてもよい。またこれらの縫い代部は、上下方向のほか、左右方向や斜め方向などの適宜の向きに延ばすことができ、湾曲状のほか直線状に延ばすこともできる。そして縫い代部の構成に応じて溝部の構成も適宜変更可能である。また図６を参照して、縫い代の末端同士と取付け部の末端は、面一状に一致させて配置させてもよく、若干段差ができる状態で配置されていてもよい。
【００３２】
また本実施形態では、各位置決め部２１ａ，２２ａ，４２ａとして、三角状の切欠きを例示したが、各位置決め部として、各種形状の切欠きや孔部やスリット、マーキングなどの目印を用いることができる。また本実施例では、各縫い代の各位置決め部を位置合わせしたのち、さらに取付け部の位置決め部を位置決めする（多段階で位置決めする構成である）。このため各縫い代の各位置決め部同士の位置決めが適切であるかを、取付け部の位置決め部で確認することができる。例えば各縫い代の各位置決め部同士の位置決めに際しては、どちらか一方の縫い代を寄せ縮めることがあるが、このとき誤って寄せ縮めるべき部分を伸長して位置決めしてしまうことがある。このような場合に取付け部の位置決め部によって、各縫い代の各位置決め部同士が適切に寄せ縮められて位置決めされているかどうかを確認することができ、シートカバーの品質の均一化に資する構成となる。
【００３３】
また本実施形態では、乗物用シート２の構成（形状，寸法，構成部材など）を例示したが、乗物用シートの構成を限定する趣旨ではない。また本実施例では、シートバック６を一例に説明したが、本実施例の構成は、シートクッション４やヘッドレストやアームレスト等の各種シート構成部材のシートカバーに適用できる。そして本実施形態の構成は、車両や航空機や電車などの乗物用シート全般に適用できる。
【符号の説明】
【００３４】
２     乗物用シート
４     シートクッション
６     シートバック
６Ｆ   シートフレーム
６Ｐ   シートパッド
６Ｓ   シートカバー
６ａ   天板メイン部
６ｂ   天板サイド部
１０   右側溝部
１２   左側溝部
１４   係止部材（本発明の他部材）
１４ａ 基部
１４ｂ 係止爪部
２１，２１ｘ  第一縫い代
２１ａ 第一位置決め部
２２，２２ｘ  第二縫い代
２２ａ 第二位置決め部
３１   右側縫い代部（本発明の縫い代部）
３２   左側縫い代部（本発明の縫い代部）
４０Ａ，４０Ｂ  付属部材
４２   取付け部
４２ａ 第三位置決め部
４３   取付け部の自由端
４４   係止部
Ｅ１   第一縫い代の末端
Ｅ２   第二縫い代の末端
Ｅ３   取付け部の末端
ＳＰ１ 第一表皮ピース
ＳＰ２ 右側第二表皮ピース（本発明の第二表皮ピース）
ＳＰ３ 左側第二表皮ピース（本発明の第二表皮ピース）
ＳＴ１，ＳＴ１ｘ  第一ステッチ部（本発明のステッチ部）
ＳＴ２，ＳＴ２ｘ  第二ステッチ部
Ｙ１   縫糸
【図１】
2018175533.tif 000003
【図２】
2018175533.tif 000004
【図３】
2018175533.tif 000005
【図４】
2018175533.tif 000006
【図５】
2018175533.tif 000007
【図６】
2018175533.tif 000008